(57)【要約】  処理される供給混合物（例えば、鉄を含んだぺレット、チップおよび粉塵）内の目的物から微粉を分離するために装置、方法およびシステムが用いられる。例えば、流路を規定するエンドレスベルトの少なくとも一部が水平に対して傾斜（例えば、目的物に関連した安息角より大きいけれども除かれる微粉に関連した安息角より小さい水平に対しての角度にある傾斜）を上へ移動可能である。さらに、傾斜を転げ落ちる微粉を妨害するために障害要素がエンドレスベルト上で使用されてよい。【選択図】なし
2008509806.tif 000002
【特許請求の範囲】
【請求項１】
目的物および微粉を含む供給混合物から目的物を分離するために使用される微粉除去装置であって、
その少なくとも一部がその傾斜は、水平面に関して目的物に関連した安息角より大きいが微粉に関連した安息角より小さい角度にあり、水平面に関して傾斜を上方へ移動し得るエンドレスベルトを有し、
該エンドレスベルトが、
所定の長さを有するエンドレス基底部と、その基底部から延びる第１および第２の側壁であって、基底部と第１および第２の側壁とで、その中に供給混合物を受け入れるための形状を有する、エンドレスベルトの流路を規定する側壁と、
複数個の障害要素であって、各障害要素は、供給混合物が流路に供給されそしてエンドレスベルトの部分が傾斜を上方へ移動すると、微粉流が傾斜を流下するのを少なくとも１つの表面部分が妨げるように、エンドレス基底部の第１位置と第２位置の間に延びる少なくとも１つの表面部分を含み、少なくとも１つの表面部分がエンドレス基底部の長さに対して非直交であり、そしてさらに各障害要素が供給混合物のうちの目的物の最大断面寸法の５０％以下である厚さを有する障害要素と、
エンドレスベルト部分を傾斜を上方へ移動させるためにエンドレスベルトと連結している駆動装置とを含むことを特徴とする微粉除去装置。
【請求項２】
各障害要素の少なくとも１つの表面部分が、エンドレスベルトの幅を横切って且つエンドレス基底部の長さに直角に延びる平面に対してある角度で位置付けられる表面を含む請求項１に記載の装置。
【請求項３】
エンドレスベルトの幅を横切って且つエンドレス基底部の長さに直角に延びる平面に対する角度が、処理される目的物に対する安息角より大きいが微粉に関連した安息角より小さい角度である請求項２に記載の装置。
【請求項４】
複数個の障害要素が、第１の側壁に対してある角度にてかつエンドレスベルトの幅を部分的に横切って下方に延びる第１の組の細長い障害要素と、第２の側壁に対してある角度にてかつエンドレスベルトの幅を部分的に横切って下方に延びる第２の組の細長い障害要素を含み、第１および第２の細長い障害要素は連続の“Ｓ”流れ模様がそれによって規定されるような交互の配置で提供される請求項１に記載の装置。
【請求項５】
前記第１および第２の組の細長い障害要素のそれぞれに関連した角度がエンドレスベルトの幅を横切って且つエンドレスベルトの長さに直角に延びる面に対する角度であり、そして該角度が処理される目的物に対する安息角より大きいが微粉に関連した安息角より小さい請求項４に記載の装置。
【請求項６】
水平面に対する傾斜を上方へ移動し得るエンドレスベルトの少なくとも一部のエンドレス基底部が、実質的に平面配置に維持される請求項１に記載の装置。
【請求項７】
水平面に対する傾斜を上方へ移動し得るエンドレスベルトの少なくとも一部のエンドレス基底部がエンドレスベルトの第１および第２末端位置の間に位置付けされる複数個のローラーを用いて平面配置に維持される請求項６に記載の装置。
【請求項８】
水平面に対する傾斜を上方へ移動し得るエンドレスベルトの少なくとも一部の前記エンドレス基底部が、供給混合物との接触のために織り目加工された表面を含む請求項１に記載の装置。
【請求項９】
前記駆動装置がさらに、固定された距離をもって位置付けされる第１および第２ローラーを含み、第１および第２ローラーのそれぞれが長手方向軸を有し、第１および第２ローラーのうちの１つが水平上の第１距離に位置付けされ、第１および第２ローラーのうちのもう１つが水平上の第１距離よりも遠い第２距離に位置付けされ、そしてさらにエンドレスベルトが第１および第２ローラーの周りを第１および第２ローラーの長手方向の軸に垂直な方向の傾斜を上へ移動するために位置付けされる請求項１に記載の装置。
【請求項１０】
供給混合物が丸みのある鉄を含んだペレットを含む請求項１に記載の装置。
【請求項１１】
前記第１および第２の側壁がエンドレス基底部から所定の長さに沿って延びる請求項１に記載の装置。
【請求項１２】
エンドレスベルトの第１および第２の側壁がエンドレスベルトの基底部から、その基底部から第１および第２の側壁の遠位末端までの垂直に測定される所定の距離まで伸び、そしてこの所定の距離は供給混合物のうちの目的物の断面最大寸法の３倍より大きい請求項１に記載の装置。
【請求項１３】
第１および第２の側壁の各々が所定の長さに沿って基底部に閉じられた第１近接末端と第２遠位末端を含み、そしてさらに基底部の所定長さを超える長さまで第２の遠位末端が伸び得るように前記第１および第２の側壁が柔軟な側壁である請求項１に記載の装置。
【請求項１４】
前記装置がさらに、供給混合物から除去される微粉の１つ以上の特性を監視するために操作できそしてそのような監視による代表的な出力を提供する監視装置、そして前記出力に基づきエンドレスベルトの速度および／又は傾斜角度を調整するための手段を含む請求項１に記載の装置。
【請求項１５】
前記駆動装置がさらに、エンドレスベルトの速度を調整するための手段を含む請求項１に記載の装置。
【請求項１６】
前記駆動装置がさらに、傾斜角度を調整するための手段を含む請求項１に記載の装置。
【請求項１７】
前記装置がさらに、供給混合物のうちの目的物からの微粉の除去および／又は微粉の分離に役立つ１つ以上の機械的補助装置を含み、この機械的補助装置がベルトラッパー、ベルト振動機、ベルトワイパー、ベルトブラシ、偏心ローラー、およびベルト散水機の少なくとも１つを含む請求項１に記載の装置。
【請求項１８】
微粉除去装置が回収系の一部であり、この回収系が材料を分離するための、そして微粉除去装置を用いて除かれる微粉を受け取るために構成される少なくとも１つの付加的分離装置を含む請求項１に記載の装置。
【請求項１９】
傾斜が、水平面に対して目的物に関連した安息角より大きいが目的物に関連した安息角より５°大きい角度より小さい角度にある請求項１に記載の装置。
【請求項２０】
目的物および微粉を含有する供給混合物からの目的物の分離方法であって、エンドレスベルトの少なくとも一部を水平面に対して目的物に関連した安息角より大きいが微粉に関連した安息角より小さい角度をなしている第１位置とより高い第２位置の間の傾斜を上方へ移動させること、
該エンドレスベルトが、
所定の長さを有するエンドレス基底部、
流路を規定するエンドレス基底部から延びる第１および第２の側壁、及び
各障害要素は供給混合物が流路に供給されそしてエンドレスベルトの部分が傾斜を上方へ移動されると、少なくとも１つの表面部分が微粉の傾斜での流下を妨げるようにエンドレス基底部の第１位置と第２位置の間に延びる少なくとも１つの表面部分を含み、各障害要素の少なくとも１つの表面部分はエンドレス基底部の長さに対して非直交であって、そしてさらに各障害要素は供給混合物のうちの目的物の最大断面寸法の５０％以下である厚さを有する複数個の障害要素を含み、
そして、流路内に供給混合物を受け取り、エンドレスベルトの少なくとも一部が傾斜を上方へ移動されると供給混合物のうちの目的物は第１位置に向かって下方向に流れそして微粉は第２位置に向かって上方へ移動することを特徴とする目的物の分離方法。
【請求項２１】
各障害要素の少なくとも１つの表面部分がエンドレスベルトの幅を横切ってかつエンドレス基底部の長さに直角に延びる平面に対してある角度で位置付けされる表面を含む請求項２０に記載の方法。
【請求項２２】
エンドレスベルトの幅を横切ってかつエンドレス基底部の長さに直角に延びる平面に対する角度が、処理される目的物に対する安息角より大きいが微粉に関連した安息角より小さい角度である請求項２１に記載の方法。
【請求項２３】
複数個の障害要素が、第１の側壁に対してある角度にてかつエンドレスベルトの幅を部分的に横切って下方に延びる第１の１組の細長い障害要素と、第２の側壁に対してある角度にてかつエンドレスベルトの幅を部分的に横切って下方に延びる第２の１組の細長い障害要素を含み、第１および第２の細長い障害要素は連続の“Ｓ”流れ模様がそれによって規定されるような交互の配置で提供される請求項２０に記載の方法。
【請求項２４】
第１および第２の組の各細長い障害要素に関連した角度がエンドレスベルトの幅を横切って且つエンドレスベルトの長さに直角に延びる平面に対す角度であり、そしてさらに該角度が処理される目的物に対する安息角より大きいが微粉に関連した安息角より小さい請求項２３に記載の方法。
【請求項２５】
前記の方法がさらに、傾斜を上方へ移動しているエンドレスベルトの少なくとも一部のエンドレス基底部を実質的に平面の配置に維持する請求項２０に記載の方法。
【請求項２６】
傾斜を上方へ移動しているエンドレスベルトの少なくとも一部のエンドレス基底部を実質的に平面の配置に維持することが、実質的に平面の配置に維持するために第１位置と第２位置の間に位置される複数のローラーを用いることを含む請求項２５に記載の方法。
【請求項２７】
エンドレス基底部がさらに、供給混合物との接触のために織り目加工された表面を含む請求項２０に記載の方法。
【請求項２８】
供給混合物が丸みのある鉄を含んだペレットを含む請求項２０に記載の方法。
【請求項２９】
エンドレスベルトの第１および第２の側壁がエンドレスベルトの基底部から、基底部から第１および第２の側壁の遠位末端までの垂直に測定される所定の距離に伸び、この所定の距離は供給混合物のうちの目的物の最大断面寸法の３倍より大きい請求項２０に記載の方法。
【請求項３０】
第１および第２の側壁の各々が所定の長さに沿って基底部に閉じられた第１近接末端と第２遠位末端を有し、そしてさらに前記第１および第２の側壁が基底部の所定長さを超える長さまで第２の遠位末端が伸び得るように柔軟な側壁である請求項２０に記載の方法。
【請求項３１】
前記方法がさらに、供給混合物から除去される微粉の１つ以上の特性を監視すること、そしてそのような監視による代表的な出力を提供すること、そして前記出力に基づくエンドレスベルトの速度および／又は傾斜角度を調整すること、を含む請求項２０に記載の方法。
【請求項３２】
前記方法がさらに、供給混合物のうちの目的物からの微粉の除去および／又は微粉の分離において支援するために１つ以上の機械的補助装置を用いることを含む請求項２０に記載の方法。
【請求項３３】
傾斜が水平面に対して目的物に関連した安息角より大きいが目的物に関連した安息角より５°大きい角度より小さい角度にある請求項２０に記載の方法。
【請求項３４】
前記流路内に供給混合物を受け取ることが、目的物の分配をエンドレスベルトの所定長さに直交している実質的幅を横切って提供することを含む請求項２０に記載の方法。
【請求項３５】
目的物および微粉を含有する供給混合物から目的物の分離に使用される微粉除去装置であって、
エンドレスベルトを含み、該エンドレスベルトの少なくとも一部が水平面に対して目的物に関連した安息角より大きいが微粉に関連した安息角より小さい角度にある傾斜を上方へ移動可能で、
該エンドレスベルトが、
所定の長さを有するエンドレス基底部とその基底部から伸び、このエンドレス基底部と第１および第２の側壁がその中に供給混合物を受け入れるために構成されるエンドレスベルトの流路を規定する第１および第２の側壁を含み、且つ、
複数個の障害要素を含み、そして、各障害要素は、供給混合物が流路に供給されそしてエンドレスベルトの部分が傾斜を上方へ移動されると、少なくとも１つの表面部分が微粉の傾斜での流下を妨げるようにエンドレス基底部の第１位置と第２位置の間に延びる少なくとも１つの表面部分を含み、そして、
エンドレスベルトの部分が傾斜を上方へ移動するためにエンドレスベルトと連結している駆動装置を含むことを特徴とする微粉除去装置。
【請求項３６】
各障害要素の少なくとも１つの表面部分がエンドレス基底部の長さに対して非直交である請求項３５に記載の装置。
【請求項３７】
各障害要素が供給混合物のうちの最大断面寸法の５０％以下である厚さを有する請求項３５に記載の装置。
【請求項３８】
各障害要素の少なくとも１つの表面部分がエンドレスベルトの幅を横切ってかつエンドレス基底部の長さに直角に延びる平面に対してある角度に位置付けされる表面を含む請求項３５に記載の装置。
【請求項３９】
エンドレスベルトの幅を横切ってかつエンドレス基底部の長さに直角に延びる平面に対する角度が、処理される目的物に対する安息角より大きいが微粉に関連した安息角より小さい請求項３８に記載の装置。
【請求項４０】
複数個の障害要素が、第１の側壁に対してある角度に且つエンドレスベルトの幅を部分的に横切って下方に延びる第１の１組の細長い障害要素と、第２の側壁に対してある角度に且つエンドレスベルトの幅を部分的に横切って下方に延びる第２の１組の細長い障害要素を含み、第１および第２の細長い障害要素は連続の“Ｓ”流れ模様がそれによって規定されるような交互の配置で提供される請求項３５に記載の装置。
【請求項４１】
各第１および第２の組の細長い障害要素に関連した角度がエンドレスベルトの幅を横切って且つエンドレスベルトの長さに直角に延びる面に対する角度であり、そしてさらに該角度が処理される目的物に対する安息角より大きいが微粉に関連した安息角より小さい請求項４０に記載の装置。
【請求項４２】
水平に対しての傾斜を上方へ移動し得るエンドレスベルトの少なくとも一部のエンドレス基底部が、実質的に平面配置に維持される請求項３５に記載の装置。
【請求項４３】
水平に対しての傾斜を上方へ移動し得るエンドレスベルトの少なくとも一部のエンドレス基底部が、供給混合物との接触のために織り目加工された表面を含む請求項３５に記載の装置。
【請求項４４】
供給混合物が丸みのある鉄を含んだペレットを含む請求項３５に記載の装置。
【請求項４５】
エンドレスベルトの第１および第２の側壁がエンドレスベルトの基底部から、そこから第１および第２の側壁の遠位末端までの垂直に測定される所定の距離に伸び、この所定の距離は供給混合物のうちの目的物の最大断面寸法の３倍より大きい請求項３５に記載の装置。
【請求項４６】
前記装置がさらに、供給混合物から除去される微粉の１つ以上の特性を監視するために操作できそしてそのような監視による代表的な出力を提供する監視装置、そして前記出力に基づくエンドレスベルトの速度および／又は傾斜角度を調整するための手段を含む請求項３５に記載の装置。
【請求項４７】
前記装置がさらに、エンドレスベルトの速度を調整するための手段を含む請求項３５に記載の装置。
【請求項４８】
前記装置がさらに、傾斜角度を調整するための手段を含む請求項３５に記載の装置。
【請求項４９】
前記装置がさらに、供給混合物のうちの目的物からの微粉の除去および／又は微粉の分離を支援するため１つ以上の機械的補助装置を含み、機械的補助装置がベルトラッパー、ベルト振動機、ベルトワイパー、ベルトブラシ、偏心ローラー、およびベルト散水機の少なくとも１つを含む、請求項３５に記載の装置。
【請求項５０】
傾斜が水平に対して目的物に関連した安息角より大きいが目的物に関連した安息角より５°大きい角度より小さい角度にある請求項３５に記載の装置。
【請求項５１】
前記装置がさらに、エンドレスベルトの所定長さに直角であるエンドレスベルトの実質的幅を横切って目的物の分配を与えるために構成された複数の分配要素を含む供給物分配装置を含む請求項３５に記載の装置。
【請求項５２】
前記の第１および第２の側壁の各々が柔軟な側壁を含み、この柔軟な側壁がエンドレスベルトの流路に隣接した１つ以上の開口部を規定する１つ以上の表面を含み、そしてさらに１つ以上のたわみ要素が流路に隣接した実質的に平らな側壁を形成するために１つ以上の開口部に関連して位置付けられる請求項１〜５１のいずれか１項に記載の方法又は装置。
【請求項５３】
前記の第１および第２の側壁の各々が波形をつけた側壁を含み、この波形をつけた側壁がエンドレスベルトの流路に隣接した空洞を規定する複数の折り曲げ部を含み、そしてさらに１つ以上のたわみ要素が流路に隣接した実質的に平坦な側壁を形成するために１つ以上の空洞に関連して位置付けられる請求項１〜５１のいずれか１項に記載の方法又は装置。
【請求項５４】
前記１つ以上のたわみ要素が流路に隣接した実質的に平坦な側壁を形成するために１つ以上の開口部内に加えられるプラグ要素を含む請求項５２又は５３に記載の方法又は装置。
【請求項５５】
前記１つ以上のたわみ要素が流路に隣接した実質的に平坦な側壁を形成するために前記の第１および第２側壁と一体化して成型されたプラグ要素を含む請求項５２又は５３に記載の方法又は装置。
【請求項５６】
前記１つ以上のたわみ要素が実質的に平坦な側壁を形成するために開口部に隣接して位置付けされたスカート要素を含み、このスカート要素がエンドレス基底部上でかつ第１および第２側壁から離れて支持される請求項５２又は５３に記載の方法又は装置。
【請求項５７】
コンベヤーの長さを有するコンベヤーが用意され、このコンベヤーが、一列に並べられそして傾斜を上に移動されそして目的物から分離された微粉が運び去られ且つエンドレスベルトが上端から下端に戻るとき不都合にもエンドレスベルトと結び付いた微粉が運び去られるためにコンベヤー上に堆積されるようにエンドレスベルトの少なくとも主要部の下でかつエンドレスベルトの上端から外にコンベヤーが位置付けられる請求項１〜５１のいずれか１項に記載の方法又は装置。
【発明の詳細な説明】
【技術分野】
【０００１】
本発明は、目的物（例えば、鉄を含んだペレット、薬剤のタブレット、粗い小石および砂材、石炭、等々）の処理に用いるためのシステム、装置および／又は方法に関するものである。さらに詳しくは、本発明は処理される目的物（例えば、丸みを帯びたそのままの鉄を含んだペレット、ペレット切りくず、およびペレット粉塵を含む供給混合物のような微粉と目的物の混合物）からの微粉の分離に関する。
【背景技術】
【０００２】
微粉を除去するための材料の選択的なふるい分けは種々の産業において比較的一般的な作業である。例えば、そのようなふるい分け又は分離の方法は鉱業、食品製造、木製品製造、医薬品製造、等々のような用途に一般的に用いられる。
ペレット、鉱石、集塊岩、又は他の粗原料の分粒のための種々の技術が述べられてきた。例えば、粗原料から微粉を分離するために典型的に用いられる分離方法は振動装置および／又は篩い装置を採用する。
【発明の開示】
【発明が解決しようとする課題】
【０００３】
鉄鉱石およびタコナイト鉱業において、全世界で２億トンより多い鉄鉱石のペレットが産出され、そして製鉄溶鉱炉に供給される前の選別を最も必要とする。現行のペレットの選別は通常は振動篩い装置を使用して達成されてきた。しかしながら、そのような振動篩い装置は資本コストおよび運転コストが非常に高く（例えば、そのような装置に付随する維持費）、供給混合物（例えば、ペレット、粉塵、ペレット切りくず、等々を含む供給混合物のような）からの微粉の分離を不経済とする。さらに、そのような振動篩い装置は微粉から分離されるペレット全体の物理的破損および摩滅をもたらす。
【課題を解決するための手段】
【０００４】
本発明によるシステム、装置および／又は方法は従来用いられあるいは記載の他の分離システムおよび分離方法に関してここに述べられる１つ以上の問題を解決する。
供給混合物（例えば、ペレット粉塵とペレット切りくずと一緒に丸みのある鉄を含んだペレットのような目的物および微粉を含む供給混合物）から目的物の分離で用いる本発明による微粉除去装置の１つの態様はエンドレスベルトを含む。このエンドレスベルトの少なくとも一部は水平面に対しての傾斜（すなわち、傾斜は水平面に対して目的物に関連した安息角より大きいが微粉に関連した安息角より小さい角度をなしている）を上方へ移動し得る。
【０００５】
このエンドレスベルトは所定の長さを有するエンドレス基底部とその基底部から延びる第１および第２の側壁を含む。このエンドレス基底部と第１および第２の側壁はその中に供給混合物を受け入れるために構成されるエンドレスベルトの流路を規定する。さらに、エンドレスベルトは複数個の障害要素を含み、各障害要素は、供給混合物が流路に供給されそしてエンドレスベルトの部分が傾斜を上方へ移動されると、微粉が傾斜を流下するのを少なくとも１つの表面部分が妨げるようにエンドレス基底部の第１位置と第２位地の間に延びる少なくとも１つの表面部分を含む。さらに、この微粉除去装置はエンドレスベルトの部分が傾斜を上方へ移動させるためにエンドレスベルトと連結している駆動装置を含む。
【０００６】
この装置の１つ以上の態様において、各障害要素の少なくとも１つの表面部分はエンドレス基底部の長さに対して非直交であってよく、かつ／又は各障害要素は供給混合物ののうちの目的物の最大断面寸法の５０％以下である厚さを有する。
他の態様において、傾斜は水平面に対して目的物に関連した安息角より大きいが目的物に関連した安息角より５°大きい角度より小さい角度をなしてよい。
【０００７】
この装置の他の態様において、各障害要素の少なくとも１つの表面部分はエンドレスベルトの幅を横切ってかつエンドレス基底部の長さに直角に延びる平面に対してある角度をなして位置付けられる表面を含む。さらに、エンドレスベルトの幅を横切ってかつエンドレス基底部の長さに直角に延びる平面に対する角度は、処理される目的物に対する安息角より大きいが微粉に関連した安息角より小さいくてよい。
【０００８】
さらに、この装置の他の態様において、複数個の障害要素は、第１の側壁に対してある角度（例えば、処理される目的物に対する安息角より大きいが微粉に関連した安息角より小さい角度）をなして下方にかつエンドレスベルトの幅を部分的に横切って延びる第１の組の細長い障害要素と、第２の側壁に対してある角度（例えば、処理される目的物に対する安息角より大きいが微粉に関連した安息角より小さい角度）をなして下方にかつエンドレスベルトの幅を部分的に横切って延びる第２の組の細長い障害要素を含む。第１および第２の細長い障害要素は連続の‘Ｓ’流れ模様がそれによって規定されるような交互の配置で提供される。
【０００９】
この装置の他の態様において、水平面に対しての傾斜を上方へ移動し得るエンドレスベルトの少なくとも一部のエンドレス基底部は、実質的に平面配置に維持される（例えば、１つ以上のローラーを用いて）。
さらに、１つの態様において、水平面に対しての傾斜を上方へ移動し得るエンドレスベルトの少なくとも一部のエンドレス基底部は、供給混合物との接触のために織り目加工された表面（例えば、平滑面であるのと対照的に）を含んでもよい。
【００１０】
他の態様において、エンドレスベルトの第１および第２の側壁は、エンドレスベルトの基底部から、基底部から第１および第２側壁の遠位末端までの垂直に測定される所定の距離に延びる。この所定の距離は供給混合物のうち目的物の最大断面寸法の３倍より大きくてよい。
さらに、他の態様において、第１および第２の側壁の各々は柔軟な側壁（例えば、波形を付けた側壁）を含む。柔軟な側壁はエンドレスベルトの流路に隣接した１つ以上の開口部を規定する１つ以上の表面を含む。
【００１１】
１つ以上のたわみ要素（例えば、プラグ要素、一体化して成形されたプラグ、スカート要素、等々）は流路に隣接した実質的に平らな側壁を形成するための１つ以上の開口部に関連して位置付けられる。
さらに、この装置は供給混合物から除去される微粉の１つ以上の特性を監視するために操作可能な監視装置を含んでもよく、またそのような監視による代表的な出力を提供してもよい。その出力に基いてエンドレスベルトの速度および／又は傾斜の角度が調整され得る。
【００１２】
その上さらに、この装置は供給混合物のうちの目的物からの微粉の除去および／又は微粉の分離を支援するために１つ以上の機械的補助装置（例えば、ベルトラッパー、ベルト振動機、ベルトワイパー、ベルトブラシ、偏心ローラー、およびベルト散水機の少なくとも１つ）を含んでもよい。加えて、実質的にエンドレスベルトの全幅を横切って目的物の配分をもたらすために配分装置が使用されてよい。
【００１３】
本発明による供給混合物（例えば、目的物および微粉を含む供給混合物）からの目的物の分離に用いる方法は、エンドレスベルトの少なくとも一部が第１位置と第２位置との間の傾斜（すなわち、第２位置は第１位置に比べて高い）を上方へ移動することを含む。前記傾斜は、水平面に対して目的物に関連した安息角より大きいが微粉に関連した安息角より小さい角度である角度をなしている。
【００１４】
前記エンドレスベルトは所定の長さを有するエンドレス基底部とその基底部から延びる第１および第２の側壁を含む。このエンドレス基底部と第１および第２の側壁はその中に供給混合物を受け入れるために構成されるエンドレスベルトの流路を規定する。さらに、このエンドレスベルトは複数個の障害要素を含み、各障害要素は、供給混合物が流路に供給されそしてエンドレスベルトの部分が傾斜を上方へ移動すると、少なくとも１つの表面部分が微粉の傾斜での流下を妨げるようにエンドレス基底部の第１位置と第２位地の間に延びる少なくとも１つの表面部分を含む。
【００１５】
さらに、前記方法は流路内で供給混合物を受け入れることを含む。エンドレスベルトの少なくとも一部が傾斜を上方へ移動すると、供給混合物のうちの目的物は第１位置に向かって下方向に流れそして微粉は第２位置に向かって上方へ移動する。
前記方法の１つ以上の態様において、各障害要素の少なくとも１つの表面部分はエンドレス基底部の長さに対して非直交であってよく、そして／又は各障害要素は供給混合物のうちの目的物の最大断面寸法の５０％以下である厚さを有してもよい。
【００１６】
他の態様において、前記傾斜は水平面に対して目的物に関連した安息角より大きいが目的物に関連した安息角より５°大きい角度より小さい角度をなしてよい。
本発明による方法の種々の態様は、上記のように微粉除去装置の１つ以上の態様を含む。さらに、微粉除去装置のみ又は１つ以上の他の分離装置および／又は削除される微粉のコンベヤー(例えば、少なくともエンドレスベルトの主要部と一列に並べられそしてその下に位置されるコンベヤー)と組み合わせて含むシステムが記載される。
【００１７】
本発明の上記の要旨は、本発明の各態様又はすべての実施を記載することを意図されない。本発明の更なる完全な理解とともに、本発明の利益は、添付する図面と併せて解釈される前記の請求項および以下の詳細な記載を参照することによって明らかになりそして真価が認められるであろう。
【発明を実施するための最良の形態】
【００１８】
本発明は、お一般的には図１を参照して記載されるであろう。本発明の種々の態様は１つ以上のさらなる分離装置とともに図１〜図７および／又は図９〜図１１に示されるような装置を用いる微粉分離で用いる図８に示される回収系を含めて、図２〜図１１を参照して記載されるであろう。
【００１９】
組み合わせて示されていないかそのように特に記載されていなくても１つの態様からの要素は他の態様の要素と組み合わせて用いられ得るということ、そして本発明はここに記載される特別な態様に限定されずあくまで添付する請求項にのみ記載されるということは当業者には明らかになるであろう。さらに、ここに記載される本発明の態様は必ずしも尺度で示されていない多くの要素を含むこと、そしてここに示される態様は営利的な使用のために拡大され得るということが認識されるであろう。
【００２０】
ここで用いられとき、“目的物”という言葉は供給混合物の一部でありかつ混合物のうちの微粉から分離されるべき目的物を示す。１つの態様において、処理される目的物は類似した大きさと形状（例えば、均一の大きさと形状）から成る。例えば、本発明によって処理され得る目的物は鉄を含んだ目的物（例えば、丸みを帯びたそのままの鉄鉱石ペレット）、鉱物を含んだ鉱石、粗い小石および砂材（例えば、タコナイトペレット、銅鉱石、ニッケル鉱石、又はクラス５の砂）、金属目的物（例えば、アルミニウムオキサイドペレット）、石炭、食品（例えば、エンドウ豆、豆、トウモロコシ、等）、プラスチック目的物（例えば、リサイクルプラスチック又はプラスチックペレット）、木製品（例えば、おがくず、木材ペレット、木材チップ）、農業製品（例えば、小麦、トウモロコシ、等々）、医薬品（例えば、薬物錠剤又はピル）、化学品（例えば、粉末、ビーズ、又は塊状薬品）、等を含むが、しかし明らかにこれらに限定はされない。
【００２１】
１つの態様において、目的物は丸みを帯びた形状を有する。ここで丸みを帯びたが目的物の形状を示すために用いられるときは、目的物の外面は完全に円形である必要はない。例えば、丸みを帯びたという言葉は平面であるのと対立するものとして全外面が実質的に（すなわち、７５％より広い）湾曲している目的物を包含するであろう。例えば、外面は楕円形であってよい。
【００２２】
本発明は、平面であるのと対立するものとして実質的に全外面が湾曲しているより低く湾曲している目的物に対しても同様に用いられるということが認識されるであろう。例えば、平面であるのと対立するものとして全外面の２５％より多くが湾曲している目的物と同様に、平面であるのと対立するものとして全外面の５０％より多くが湾曲している目的物が本発明に従って処理されるであろう。実質的に平面の目的物も本発明に従って処理されるけれども、本発明は湾曲した外面を有する目的物にとって特に有利である。
【００２３】
ここで用いられるとき、“微粉”という言葉は処理される目的物に関連して定義される。微粉は供給混合物中に目的物とともに存在しかつそれから分離されるべき材料（例えば、１つ以上の成分を含む材料）を示す。一般的に、微粉は目的物の大きさの約２分の１より小さい成分の大きさ（すなわち、微粉の成分の大きさ）を有する（すなわち、１個の目的物によって占められる空間の半分未満の体積を占める）。
【００２４】
例えば、１つの態様において、本発明によって処理される供給混合物はそのままの鉄を含んだペレット（例えば、丸みを帯びた含鉄ペレット）、ペレットチップ、および粉塵を含む。“微粉”という言葉の定義に従って、この態様においては、微粉はそのままの含鉄ペレットの約２分の１の大きさ（例えば、１／２インチのペレット）より小さい供給混合物のすべての成分を含むことになる。言い換えれば、微粉はペレット粉塵と同様にペレットチップを含むことになる。
【００２５】
ここで用いられるとき、“安息角”という言葉は目的物が滑り落ちるか又は崩落していくよりむしろ表面に堆積して持ちこたえる水平面と関連した最も急勾配の角度を示す。安息角（angle of repose）は時には、静止角（angle of rest）として言及されかつ目的物の大きさ、形状、比重、および組成に依存して変わるであろう。
【００２６】
ここでの記載から明らかであるように、本発明の少なくとも１つの態様は異なった材料に対して異なった安息角を使用することに基いている。安息角の理論に基いて、図１に大まかに示されるように、機能的、効率的な微粉除去システム１０が提供される。当業者は、この分離システムの多くの応用が、最終の望ましい製品（例えば、そのような微粉から分離された供給混合物のうちの目的物又は微粉）も同様に含む供給混合物からの望まれない微粉を分離するための他の業種と同様に、化学薬品、薬剤、食品、砂利で生産される種々の製品（微粉とともに）の種々の異なった安息角を測定することによって実施され得るということを認識するであろう。
【００２７】
本発明はどのような特別な応用あるいは産業にも限定されない（例えば、ここで記載されるように、種々のタイプの目的物の分離が達成される）が、本発明は鉄を含んだペレト（例えば、丸みを帯びた鉄鉱石ペレット）を含む供給混合物からのペレット微粉の除去にとって特に有益である。例えば、１／２インチの大きさを有するあるタコナイトペレットに対して測定された安息角は約３２°であると決定され、そしてペレット微粉の安息角は約３４°であると決定された。前記目的物（例えば、鉄を含んだペレット）とそのような微粉との間の安息角におけるそのような相違は、本発明により微粉からペレットの分離を可能にする。
【００２８】
言い換えれば、少なくとも１つの態様において、もし上方に動いている傾斜面が３２°より大きいが３４°より小さい角度に置かれ、そして供給混合物（微粉と一緒にそのようなペレットを含む）の一環として鉄を含んだペレットがそのように動いている傾斜面上に供給されるならば、丸みを帯びた鉄を含んだペレットが傾斜した面を転がり落ち、一方でペレット微粉は概して傾斜を流下することなくそして動いている傾斜した面によって運び上げられて運び去られ得るのかも知れない。
【００２９】
分離は概して微粉を持ち去りかつペレットが表面を転がり落ちることを可能にする移動している傾斜した表面によってもたらされる。１つの態様において、コンベヤーベルトが動いている表面として用いられる。例えば、ベルトの角度が約３３°又は３３．５°に設定され、そしてペレットの適した供給速度で鉄を含んだペレットが供給される。概して、コンベヤーベルトはベルトの側面への損失を伴うことなくペレットがコンベヤーを流下することを可能にするために側壁を有する。
【００３０】
加えて、供給混合物のうちの微粉から鉄を含んだペレットを分離するためにさらに有益に用いられ得る障害要素の配列（例えば、平坦なコンベヤーベルト表面に固定された低い高さの傾斜したゴム製ラグの配列）を設計するために同様の安息角理論を用いられ得る。例えば、傾斜した障害要素の配列によって構築される通路を微粉は保持するが鉄を含んだペレットが転がり落ちそして／又は障害要素を越えるために、障害要素（例えば、ラグ又はクリート）は３３°に曲げられてよい。
【００３１】
図１は、本発明による微粉除去装置１２を含む微粉除去システム１０の一般化した側面説明図を示す。図１の一般化は、微粉除去システム１０が１つ以上の種々の組み合わせ（例えば、駆動装置９０、調整要素９２、機械的補助装置１９５、等の一般化を見よ）での本発明による１つ以上の種々の態様を含んでよいことを示すために提供される。
【００３２】
例えば、ここでさらに論じられるように、微粉除去装置は、このシステム１０を最適化するために、ベルト速度の機内変化を可能にする可変速駆動ベルトモーター、ベルトの角度の機内変動を可能にするためのベルトフレーム構造内の油圧シリンダー、目的物（例えば、そのままのペレット）から微粉分離の増加に役立つベルト下のラッパーおよび／又は振動機、ベルトの上端およびベルトの底面又は戻り工程でシステムの先端のベルト車の開放部に位置される、ベルトに付着しているいくらかの過剰の微粉を拭き取るための任意のベルトワイパーおよび／又はブラシ、ベルトの戻りに微粉を洗い落とすために含まれてよいベルト散水機を含んでよい。
【００３３】
また、微粉除去装置は、砂埃の放出を減ずるためにベルトシステムの適当な場所に置かれるベルトカバーおよび集塵機覆い、微粉をベルトの上端に運び去って主たる微粉除去の構成要素として作用するために適当な角度で種々の方法でベルト表面に固定されるゴム、ウレタン、あるいは他の耐磨耗ラグのような障害要素、目的物（例えば、そのままのペレット）が転がり落ちそして微粉がベルトの上端に運び去られることを可能にするための供給の位置の変動、角度調節又は速度調節のようなシステムの種々のパラメーターの調節に用いられるプロセス調整フィードバックサブシステム、微粉除去用のベルト下の運び去りコンベヤー位置を含んでよい。
ここでの記載から明らかであるように、本発明による１つ以上の態様において１つ以上のこのような機能が用いられてよいということを当業者は認識するであろう。
【００３４】
微粉除去設備１０はエンドレスベルト３０の上に供給される供給混合物１８からの目的物３１分離用の微粉除去装置１２を含む。供給混合物１８はここに記載されるように本発明により分離される少なくとも目的物３１と微粉３２（図２と４を見よ）を含む。供給混合物１８から目的物３１の分離（例えば、傾斜したエンドレスベルトを下へ異動する目的物３１）において、そのような目的物３１は目的物収集装置１４によって集められる。同様に、供給混合物１８のうちの微粉３２は動いている傾斜されたエンドレスベルト３０に乗せられてそして微粉収集装置１６中に排出される。
【００３５】
目的物収集装置１４は供給混合物１８から分離される目的物３１を収集し、移動させ、動かし、あるいは別のやり方で操作するための任意の適した収集機器および／又はシステムであってもよい。本発明はどんな特別な目的物収集装置１４にも限定されず、またコンベヤー、トラック、ローダー、ホッパー、等々のような装置を含んでもよい。
【００３６】
微粉収集装置１６は供給混合物１８から分離される微粉３２を収集し、移動させ、動かし、あるいは別のやり方で操作するための任意の適した収集装置および／又はシステムであってよい。本発明はいずれかの特別な微粉収集装置１６に限定されず、またコンベヤー、トラック、ローダー、ホッパー、等々のような装置を含んでよい。
【００３７】
図１に示されるように、１つの態様において、微粉収集装置はコンベヤーの長さを有する運び去りコンベヤー７１０を含んでよい。コンベヤー７１０はエンドレスベルト３０の少なくとも主要部（すなわち、５０％より広い部分）と一列に並べられてそしてその下に位置される。好ましくは、実質的に全エンドレスベルト３０（すなわち、７５％より広い部分）と一列に並べられてそしてその下に位置される。
【００３８】
運び去りコンベヤー７１０は第１端部７１２と第２端部７１４の間に伸びてよい。エンドレスベルト３０が下端部５４に戻ると、傾斜を上方へ移動されかつ目的物から分離された微粉が運び去られ（例えば、上端部５２からの排出で）かつ／又は下側の導管３５に沿ってエンドレスベルト３０に望ましくなく付いている微粉がコンベヤー７１０上に落ちるように、第２端部７１４は下端部５４でエンドレスベルト３０の下方に位置され、そして第１端部７１２はエンドレスベルト３０の上端部５２から外側に位置付けられる。
【００３９】
１つの態様において、コンベヤー７１０は第１端部７１２で動作可能なように用意される第１ローラー７２２および第２端部７１４で動作可能なように用意される第２ローラー７２４を含んでもよい。エンドレスベルト７２６は微粉を１つ以上の他の収集装置（例えば、ここで記載のそれらの装置のような）への排出のため、微粉の第２端部７１４から第１端部７１２への移動用に用意される。
【００４０】
運び去りコンベヤー７１０はエンドレスベルト３０（例えば、主要な微粉除去コンベヤー）が正しい運転可能な角度につり上げられた後に導入され又は位置付けられる得る携帯用装置であってよい。この運び去りコンベヤー７１０は遊動輪上を運行する標準のコンベヤーであってよい。さらに、このコンベヤー７１０はエンドレスベルト３０のためにコンベヤー７１０に支持構造７９（例えば、油圧リフト機構）の間の場所に滑り込ませることを可能にする装置を含んでよい。
【００４１】
微粉運び去りコンベヤー７１０は、主要な微粉除去エンドレスベルト３０の下端部５４に向いて押し戻されてよく、そして上端部５２でエンドレスベルト３０の上端を越えて広がってよい。エンドレスベルト３０の下方又は真下、そしてエンドレスベルト３０と一列に並べられて、この微粉運び去りコンベヤー７１０は、エンドレスベルト３０の上端部５２から落ちるか又は排出される、低い導管３５に沿ってエンドレスベルト３０の中間部から落ちている、そして下端部５４により近い低い導管３５に沿ってエンドレスベルト３０の低部から落ちている微粉を集めるであろう。
【００４２】
言い換えれば、エンドレスベルトを離れ落ちる微粉は、主要な微粉除去エンドレスベルト３０の下方に位置付けられる付加的な微粉運び去りコンベヤー７１０によって集められそして運び去られるだろう。これは主要なエンドレスベルト３０の下方に微粉の集積を減ずるかも知れない。そのような集積がもし生じると認められると休止時間と掃除が必要である操作および保守の問題となるかもしれない。
【００４３】
一般的に、本発明による微粉除去装置１２はエンドレスベルト３０を含む。エンドレスベルト３０の少なくとも一部は、図１のエンドレスベルト３０のうちの登りの上側の導管３４によって示されるように、水平面１５に対する傾斜を上方へ移動し得る。さらに、概して、エンドレスベルト３０はエンドレスベルト３０の流路４２を規定するその基底部４０から延びる側壁３６、３８（図３に示される）を含む。
流路４２は出口４４を経由して供給源２８から供給混合物１８（例えば、鉄鉱石ペレット、ペレットチップ、ペレット粉塵のような少なくとも目的物と微粉）を受け取る。言い換えれば、流路４２で受け取られる供給混合物１８は供給混合物１８のうちの微粉から分離されるべきである目的物を含む任意の供給混合物であってよい。
【００４４】
本発明による供給源２８の一部として又は微粉除去装置１２の一部（例えば、筐体１３０とともに構成される）として採用されてよい分配装置５２０の１つの態様は、図９Ａ〜９Ｂの各々側面図および平面図に示される。そこで示されるように、供給分配装置５２０は、目的物（例えば、ペレット）がベルト表面（例えば、図３に示されるようにベルト表面１４０）上に置かれると、ベルト３０の実質的に全幅（例えば、ベルト３０の基底部４０）が目的物によって覆われるということを確実にする。
【００４５】
例えば、いくつかの供給流は幅が微粉除去ベルトの幅より狭くてよい。微粉除去を最大化するために、少なくとも１つの態様において、微粉除去ベルト３０の幅の利用は、目的物がベルト３０上に供給される時にベルト３０の実質的に全幅にわたって目的物の分配を用意することによって用いられるべきである。この“実質的に全幅”という言葉はベルトの幅の少なくとも７５％を示し、しかしながら、１つ以上の他の態様においては、目的物はベルトの幅の９０％より広くにわたって分配される。少なくとも１つの態様において、目的物はベルト３０の全幅にわたって分配される。
【００４６】
さらに、図９Ａ〜図９Ｂに示されるように、１つの態様において、この分配装置５２０は、目的物がベルト３０の実質的に全幅にわたって供給されるように目的物の受け取りとそれらのベルト３０上への供給（例えば、分配）のためのホッパー５２２、あるいは任意の他の供給物受け取り容器、そして目的物を方向付けるための分配器装置５２４を含む。この分配器装置５２４は、目的物がベルト３０の実質的に全幅にわたって供給されるように目的物を方向付けるに適した一定のパターンで配置される複数の又は一連の要素５２８を含む。
【００４７】
１つの態様において、前記複数の要素５２８は図９Ａおよび図９Ｂに示されるように複数のくさび形の柱を含む。この複数のくさび５２８は、目的物がベルトの幅の中心に供給されると、ベルト３０の幅の全幅上の外へ（すなわち、ベルト３０の壁に向かって）また下へ（矢印５３０の方向へ）分配されるようにホッパー５２２の内包表面上に一定のパターンで配置される。図９Ｂにおいて、このくさび５２８は物が傾斜した表面５２６を降るとより大きくなるピラミッド形状に配置される。しかしながら、目的物がベルト３０の実質的に全幅にわたって供給されるように目的物を方向付ける複数の要素５２８の任意の配置が用いられてよい。
【００４８】
供給混合物１８が流路４２に供給される混合物供給点は、エンドレスベルト３０が水平面１５に対する傾斜を上方へ移動すると、供給混合物１８のうちの目的物３１がエンドレスベルト３０の登りの上側の導管３４を下って移動するように、エンドレスベルト３０の上側の導管３４に沿った任意の位置にあってよい。さらに、目的物３１がエンドレスベルト３０の傾斜部を下って移動すると、供給混合物１８のうちの微粉３２はエンドレスベルト３０の傾斜した上側の導管３４を降りて来る目的物３１の流れと反対に混合物の供給点を越えて運ばれる。この微粉３２は、エンドレスベルト３０がその下側の導管３５に添って降下する（例えば、エンドレスベルト３０の低い末端域５４へ）と、例えば比重によって、エンドレスベルト３０の上端部５２で排出される。
【００４９】
例えば、排出は微粉収集装置１６中へ起こってよくそして／又はエンドレスベルト３０の上端部５２と下端部５４の間の下側の導管３５に沿って起ってよい。図２に示されるように、目的物３１が上側の導管３４を下方へ移動すると目的物３１はエンドレスベルト３０の下端部５４で微粉除去装置１２から排出される。目的物３１は、任意の他の適した方法で目的物収集装置１４中へ排出されてよく又は微粉除去装置１２から除かれてよい。
【００５０】
ここに記載される安息角理論の少なくとも一部に基いて、微粉３２は供給混合物１８から除かれ、そして供給混合物１８のうちの目的物３１はそれから分離される。言い換えれば、水平面１５に対する傾斜６０の角度は、その角度が目的物３１に関連した安息角より大きいが微粉３２に関連した角度より小さいように選ばれる。少なくとも１つの態様において、水平面１５に対する傾斜６０の角度は、目的物３１に関連した安息角より大きいがまたそのような目的物３１に関連した安息角より５°大きい角度より小さい。
【００５１】
そのような方法において、目的物３１は、排出のために傾斜を上端部域５２まで上方へ移動しているエンドレスベルト３０（すなわち、矢印１７の方向に動いているベルト）の表面に固定される障害要素を用いて微粉３２が運ばれる間に、エンドレスベルト３０の上側の導管３４を転げ落ちることが可能にされる。ここにさらに記載されるように、障害要素７０、例えば、図２〜図５に示されるような要素は、本発明により目的物３１からの微粉３２の分離を促進するために用いられてもよい。
【００５２】
本発明による微粉除去装置１２は大きな供給容量に対する目的物３１の効果的な分離を提供する。例えば、本質的に開かれた流路４２は傾斜したエンドレスベルト３０の上側の導管３４を降る目的物３１の自由な流れを可能とする。さらに、例えば、高い側壁の使用により、供給混合物１８の容積流速は、そしてそれゆえ機械容量は、鉄を含んだペレットの供給混合物が毎時２００トンであってよい。
【００５３】
例えば、１つの態様において、エンドレスベルト３０の広さ（Ｗ）は横４フィートであってまた高さが８インチの側壁を含んでよい。そのような装置は丸みを帯びた鉄を含んだペレットおよび微粉を含む毎時２００トンの供給混合物１８の分離を提供し得る。そのような広さ（Ｗ）が極めて大きい態様（例えば、図６に示されるように）において、エンドレスベルトの側壁間に延びる（すなわち、ベルトの幅にわたって）障害要素のパターンは、例えば、その流路内での多数のＳ流れ模様を形成して、幅を横切って並んだ複数の要素を含んでよい。
【００５４】
さらに、本発明は、構造が特に単純である装置を用いる非常に効果的な分離を提供する。そのような単純さのために、本発明による微粉除去装置１２は多くの従来型の機械に比べて大変低コストであるかもしれない。さらに、そのような低コストは、設備がさらに大きな商業的規模にスケールアップされると微粉除去装置１２が規模を増大されるときにあてはまる。
【００５５】
先に説明したように、図１は、微粉除去装置１２を含む微粉除去システム１０の一般化された側面説明図である。  図２は、図３の２−２線に沿った微粉除去装置１２のうちのエンドレスベルト３０の１つの態様の一般化された断面図であり、さらに、図３は、エンドレスベルト３０の一般化された平面図である。さらに、図４および図５は、図２および３の各々に示されるエンドレスベルト３０の一部のさらなる詳細な図を示す。
【００５６】
図１に示されるように、微粉除去装置１２はエンドレスベルト３０を支持するための支持構造７９を含む。このエンドレスベルト３０は水平面１５に対して微粉除去装置１２の低側域５４と上側域５２の間の傾斜を上方へ移動可能である上側の導管３４を含む。エンドレスベルト３０の下側の導管３５は微粉除去装置１２の上側域５２と低側域５４の間を降下する方法で移動する。
【００５７】
さらに、図１および図２に示されるように、エンドレスベルト３０は、支持構造７９内の開口部を経由した微粉３２の排出後にエンドレスベルト３０の下側の導管３５が元に戻ることによる連続的な操作のための２つの第１のローラー７２、７４の周りに位置付けられる。概して、本発明によると、支持構造７９は水平面１５に対しての目的物３１に関連した安息角より大きいが微粉３２に関連した安息角より小さい角度で傾斜を上方に移動し得るエンドレスベルト３０の少なくとも一部に位置付けして用いる要素を含む。
【００５８】
既述のように、約１／２インチの大きさを有する鉄を含んだペレットに対して、その安息角が約３２°でそしてペレット微粉のそれは約３４°である。それ故に、そのような安息角を用いて、傾斜角はそのような成分を含む供給混合物のうちのペレット微粉からそのような鉄を含んだペレットを分離するために適切に定められることになる。
【００５９】
１つの態様において、前記傾斜６０の角度は目的物に関連した安息角よりも５°大きい角度未満であるべく選ばれる。そのような方法で目的物３１の崩落は大きな割合の微粉がエンドレスベルト３０の上側末端域５２での排出のために上方へ運ばれて達成される。他の態様においては、傾斜６０の角度は目的物に関連した安息角よりも３°大きい角度未満であり、また目的物に関連した安息角よりも２°大きい角度未満でさえあるべく選ばれてよい。他の態様において、傾斜６０の角度は、目的物に関連した安息角よりも１°以上であるべく選ばれる。
【００６０】
図１〜図５に示される典型的な態様において、２つの第１ローラー（上端ローラー７４と下端ローラー７２）は支持構造７９によってその回転のために支持される。この上端ローラー７４と下端ローラー７２は固定されかつ所定の距離で隔てられる。図１〜図２に示されるように、上端ローラー７４はそれを通して延びる長手方向の軸８４を有する心棒８０に取り付けられる。心棒８０は長手方向の軸８４の周りで上端ローラー７４の回転を可能とする連結域１００で構造７９と連結される。心棒８０の端部は駆動装置９０によってその回転のために接続される。
【００６１】
駆動装置９０は心棒８０の回転を制御し、そしてそのようなものとして、エンドレスベルト３０が水平面１５に対する傾斜を上方へ移動するのを伝えるローラー７４の回転を制御する。任意の適した駆動機構が用いられてよく、また本発明はいくつかの特定の駆動要素に限定されない。
好適には、エンドレスベルト３０は毎分約１５０〜約３００フィートの範囲の速度で移動させられる。しかしながら、そのような速度は一部には傾斜の角度に依存するであろうしまた、勿論、微粉除去装置１２が用いられる用途にも依存するであろう。制御システム２６が駆動装置９０の制御を含めて微粉除去装置１２の１つ以上の機能の制御のために用いられる。
【００６２】
図１〜図２に示されるように、下端ロ−ラー７２はその軸８６に沿って延びる心棒８２を含む。心棒８２は長手方向の軸８６の周りでその回転を可能とするために適した構造によって域１０２で構造７９と連結される。
下端ロ−ラー７２は、上端ローラー７４を通って延びる長手方向の軸８４と下端ローラーを通って延びる長手方向の軸８６との間の距離を増加又は減少させるための調整手段１０４を含む。そのようなものとして、調整手段１０４はベルトの張力の調整を提供する。そのような調整手段１０４は、釣り合いおもりあるいは巻き取り滑車のような滑走および錠手段又はいくつかの他の手段によってもたらされてよい。
【００６３】
前記の上端ローラー７４（例えば、この特定の態様における駆動ローラー）は、エンドレスベルト３０のうちの上側導管３４の傾斜を提供するために下端ローラー７２の仰角より大きい水平面１５からの迎角が取られる。当業者は、エンドレスベルト３０の一部のみが傾斜されていることが必要であってよく、そして水平面１５に概して平行かあるいは他の異なる角度にある他の部分があってよいことを認識するであろう。しかしながら、エンドレスベルト３０のうちの上方の導管３４の少なくとも一部は、供給混合物１８のうちの微粉３２からの目的物３１の効果的な分離を提供するために目的物の安息角に基く傾斜角にある必要がある。例えば、下端５４へ向かうエンドレスベルト３０の低位域は、傾斜６０の角度とは異なる角度にあってよくかつ水平面１５に対して実質的に平行でさえあってよい。
【００６４】
さらに、傾斜６０でエンドレスベルト３０を保持するために適した構造を含むのに加えて、支持機構７９は、ローラー１２０を支持するための要素を含む。ローラー１２０は、エンドレスベルトが傾斜を上方に移動されると、実質的に平面構造にあるエンドレスベルト３０のうちの基底部４０を維持するために位置付けられる。そのような支持ローラー１２０は図７Ａ〜図７Ｂを参照してここにさらに記載されるであろう。
【００６５】
概して、本発明による微粉除去装置１２は、傾斜を上へ向かうエンドレスベルト３０の循環を可能にしつつ傾斜角度６０にてエンドレスベルト３０の少なくとも一部を支持するために任意のタイプノ支持構造７９を用いた任意の方法で構成されてよい。上側のローラー７４と下側のローラー７２の機能は、傾斜位置でエンドレスレベルトの少なくとも一部を維持しかつ矢印１７の方向に傾斜を上へ向かうエンドレスベルト３０の移動を可能にするために適した任意の要素によって提供されてよい。さらに、支持構造７９は、微粉除去装置１２の位置から位置への移動し易さを可能とするために構成されてよい。例えば、支持構造７９は微粉除去装置１２が他の伝達手段上でより容易に引かれる、積まれる、等々を可能とする輪７００又は他の類似の回転装置を含んでよい。
【００６６】
図１において、矢印１７は同様にローラー７４、７２の回転方向を示す。ここに用いられるローラーは、低側域５４および上側域５２においてエンドレスベルト３０の回転を可能とする任意の湾曲した表面を含んでよい。例えば、ここに用いられるローラーは定位置にある湾曲した表面を有する要素であってよい。そのようなものとして、ローラー７４、７２はエンドレスベルト３０の循環を提供するためには用いられなくてよいが、そのように固定される要素の周りでエンドレスベルト３０を機械的に動かす駆動機構が必要とされるかもしれない。さらに、もにローラーが湾曲した表面に固定されると、長手方向の軸８４、８６はそのような湾曲した表面が位置するシリンダーの長手方向の軸であろう。本発明は、エンドレスベルト３０が水平面１５に対しての傾斜を上へ移動するための任意の要素の使用を意図し、かつここに示されるおよび／又は記載される説明に役立つ要素にどんな方法でも限定されない。
【００６７】
エンドレスベルト３０がその周囲を動くローラーの数は上側末端および下側末端のローラー７４、７２に加えたローラーを含むということは当業者によって認識されるであろう。例えば、エンドレスベルト３０は上端ローラー７４の下の位置に位置される追加のローラーの周りを（例えば、ベルトがそのようなローラーの周囲に位置されるときに三角形状のエンドレスベルトを形作りながら）を回転してよい。そのような追加のローラーは、追加のベルトに張りをさらに提供するために用いられてよく、又は微粉除去装置１２にとって任意の他の好ましい機能を提供してよい。しかしながら、好適には、エンドレスベルト３０は、ローラーのうちの１つがエンドレスベルト３０に適した傾斜を与えるためにもう１つのローラーと水平面１５との間の距離よりも大きい水平面１５上の第１位置に位置されて、予め決められた距離によって隔てられた２個のローラーの周りを回転するように位置される。
【００６８】
図２〜図５に示されるように、エンドレスベルト３０は上側の主要表面１４０と下側の主要表面１４１を有する基底部４０を含む。さらに、エンドレスベルト３０はその間の流路４２を規定する基底部４０の上側の主要な表面１４０から延びる２つの側壁３６、３８を含む。下側の主要な表面１４１は、少なくとも１つの態様において、エンドレスベルト３０がそれらの周囲を回転されると、ローラー７４、７２との直接の接触に使われている。
【００６９】
概して、エンドレスベルト３０は、供給混合物１８を受け取るための流路４２を規定するであろうし、また供給源２８の供給出口４４から供給混合物を受け取るために十分な深さを有する流路を提供する、基底部と側壁の任意の構造を含んでよい。当業者は供給源２８のための任意の構造が供給混合物を流路４２に提供するために用いられてよいことを認識するだろう。
【００７０】
１つの態様において、側壁３６、３８はエンドレス基底部３０の上側の主要な表面１４０から実質的に垂直に延びる。しかしながら、そのような側壁は、基底部３０から垂直に伸びなくてよく、それよりむしろ例えば、基底部３０に対してある角度で伸びてよく、そして流路４２が側壁３６、３８の間に規定される限りは、任意の構造を取り得る。
１つの態様において、図２〜図５に示されるように、各側壁３６、３８は第１の近接した端部１３３と第２の先端の端部１３５を含む。この第１の近接した端部１３３はエンドレス基底部４０の予め決められた長さに沿って基底部４０の上側の主要な表面１４０に対して密閉される。
【００７１】
１つの態様において、側壁３６、３８は柔軟な側壁である。ここで用いられるように、柔軟な側壁とは有効な長さよりも大きい拡張された長さを有する側壁を示す。言い換えれば、側壁の拡張された長さ（例えば、側壁が材料の面に平らにされたとしての側壁の長さ）は、すなわち、先端の端部１３５に沿って拡張された長さは、側壁によって占められる側壁の有効な長さ（例えば、ベルト３０の走行方向に沿った長さ）よりも短い。そのようなものとして、側壁の第２の先端の端部１３５は、側壁が基底部４０の全長に沿って延びるので、側壁３６、３８の有効な長さと実質的に同じ長さであるエンドレス基底部４０の予め決められた長を超える長さまで動かされ得る。
【００７２】
そのような柔軟さを有して、エンドレスベルト３０がローラー７４、７２を越えてかつその周りを移動されると、側壁３６、３８の先端の端部１３５は側壁３６、３８に対するダメージが生じないような状態に拡張しえる。このことは、流路４２内の好適な大量の材料の供給のために高い側壁が必要である場合に特に有益である。例えば、１つの態様において、側壁は、供給混合物１８のうちの目的物３１の最大断面寸法の３倍よりも大きい高さ（Ｈｓｗ）を有する。この高さ（Ｈｓｗ）は基底部４０から垂直に側壁３６、３８の先端の端部１３５まで測定される。
【００７３】
前記の側壁３６、３８はダメージを受けることなくローラー７４、７２の周りを移動され得る任意の柔軟な側壁として構成されてよいが、１つの態様において、エンドレスベルト３０は図３の詳細な平面図に明確に示されるように波形をつけた側壁を含む。ここに用いられるように、波形をつけたとはその中に複数の折り曲げを有する構造を示す。そのような折り曲げは、折り目をつけられた折り曲げであってよいが、１つの態様においては図３に示されるような転がる折り曲げである。例えば、つり上げた波形をつけた側壁を有するそのようなエンドレスベルトはコラ−トラフ  ベルトティング（Ｃｏｒｒａ−Ｔｒｏｕｇｈ  Ｂｅｌｔｉｎｇ）の商号でアメリカ  バルク  コンベイング（ニュージャージー州、マレイヒル）から入手可能である。
【００７４】
前記の波形をつけた構造における折り曲げの数は、好適には１フィート当たり約４〜約２４の範囲であってよい。しかしながら、そのような折り曲げは異なった大きさからなってもよく、そして単位長さ当たりの折り曲げの数は側壁に従って異なってよい。例えば、種々の波形をつけた構造は名称‘波形をつけた側壁を有するコンベヤーベルト’のハートマンの米国特許第４１０９７８４号に示される。
【００７５】
前記の側壁３６、３８が柔軟な側壁であり、かつ、特に柔軟な側壁が図３の平面図に示されるように波形をつけた側壁である１つの態様においては、柔軟な側壁３６、３８（例えば、波形をつけた側壁）は図１０Ａ〜図１０Ｃに示されるように流路４２を規定するエンドレスベルト３０の内側で実質的に平らな側壁を作るために構成されるか修正され、そして／又はこの系は図１１Ａ〜図１１Ｂに示されるような流路４２を規定するエンドレスベルト３０の内側でそのように実質的に平らな側壁を作るために修正される。言い換えれば、たわみ要素は流路４２を規定するエンドレスベルト３０の内側で実質的に平らな側壁を作るために柔軟な側壁によって規定される開口部又は空洞に対して位置付けられる。
【００７６】
図１０Ａは、流路４２を規定するエンドレスベルト３０の内側で実質的に平らな側壁（例えば、流路４２の長さに沿って、かつ少なくとも１つの態様においてエンドレスベルトの長さに沿って）を作るために柔軟な側壁３６の開口部６０２（例えば、空洞、流路、等々）内に位置付られそして／又はそうでなければ設置されるたわみ要素６００を有するエンドレスベルト３０の柔軟な側壁３６の一部を示す。
【００７７】
１つ以上の種々の構造又は修正が実質的に平らな柔軟な壁で囲まれたエンドレスベルトを提供するためには適しているかも知れない。例えば、柔軟な（例えば、波形をつけた）側壁の内側の壁の開口部（例えば、空洞）は図１０Ｂを参照して記載されるようにプラグ要素で満たされてよい。さらに、例えば、柔軟な（例えば、波形をつけた）側壁の側壁開口部（例えば、空洞）は、図１０Ｃを参照して記載されるように、側壁の製造の間にプラグ材で満たされてよい（例えば、側壁とともに型で作られる）。
【００７８】
言い換えれば、前記エンドレスベルト３０は実質的に平らな垂直の側壁６０４で作られる。ここに記載されるように、垂直の柔軟な（例えば、波形をつけた）側壁は、それらがローラー７４、７２を越えてかつその周りを進むとき側壁３６、３８へのダメージが起こらないように側壁が収縮することを可能とする。コンベヤーの標準となった使用において、材料の典型的な好ましい移送はコンベヤーの底からコンベヤーの頂上である。そのようなものとして、コンベヤーの頂上を運び出されることが材料にとって好ましいとき材料が波形をつけた垂直の側壁によって側壁の開口部又は空洞内でとらわれるか否かはコンベヤーのユーザーにとっては問題ではない。
【００７９】
しかしながら、本発明に従って、収集される目的物３１がエンドレスベルト３０の底部に流れることが好ましい。そのようなものとして、柔軟な側壁の開口部（例えば、波形をつけた側壁の空洞）でのたわみ要素６００（例えば、充填材）の使用は目的物が側壁３６、３８で捕捉されそして不都合にもエンドレスベルト３０の頂部へ運ばれる可能性を効果的に阻止する。１つ以上の態様において、たわみ要素６００は、柔軟な側壁３６、３８がローラー７４、７２を越えてかつその周りを進むとき、側壁（例えば、波形をつけた側壁）の柔軟性そして伸びが影響を与えられないように、側壁３６、３８に隣接して取り付けられた又はそうでなければ固定された位置にある充填材であってよい。
【００８０】
前記の傾斜したエンドレスベルト３０の少なくとも１つの目的は、微粉を分離しかつ上側域５２に運びそしてエンドレスベルト３０から放ちながら、より大きい粒径の目的物を下側域５４に転がすことである。そのようなものとして、より大きい目的物が側壁に捕捉されそして微粉とともにエンドレスベルト３０の頂上を通されるということは好ましくない。この事態が起こることを防ぐために、本発明により望まれるようにより大きい目的物のみがエンドレスベルト３０を流下するように実質的に平らな側壁６０４が作られる。ここに用いられるように、実質的に平らな側壁とは、多数の構成材から形成されてよいが、エンドレスベルト３０を転がり落ちる目的物が側壁に決して捕捉されない程度に平坦である側壁を示す。言い換えれば、ここに記載される例示的な態様に示されるように、平坦な表面の形成からは逸脱するけれども、目的物が細長いベルト３０を転がり落ちるのを妨げない大きさの平坦な側壁の小さい部分又は開口部があってよい。
【００８１】
図１０Ａに示されるように、エンドレスベルト３０の基底部４０に隣接した第１端部６３０とともに位置付けられるたわみ要素６００は、たわみ要素６００の第２端部６３２が側壁３６と同じ高さであるように伸びてよいことが認識されるであろう。しかしながら、たわみ要素６００の高さは第２端部６３２が側壁３６の高さの７０％に過ぎない高さにあるようにあってよい。さらに、少なくとも基底部４０に隣接した流路４２の一部に沿って実質的に平らな側壁を構築するのになお効果的であれば、第２端部６３２は側壁３６の５０％に過ぎない高さにあってよく、また側壁３６の２０％の高さにあってさえよい。
【００８２】
前記のように、たわみ要素の２つの例示的な態様が図１０Ｂと図１０Ｃに示される。図１０Ｂは流路４２の一部を規定する内表面６２４の反対に向いている外表面６２０を含むエンドレスベルト３０の波形を付けた側壁３６の一部を示す。前記側壁３６は基底部４０から垂直に延びる。前記波形を付けた側壁３６はその中に内側の側壁の開口又は空洞６３７を作る複数の折りたたみを含む。
さらに、図１０Ｂに示されるように、空洞６３７を実質的に充填するために構成されるプラグ要素６４０は実質的に平らな側壁６０４を形成するために加えられる。前記プラグ要素は、例えばゴムやウレタンのように適した材料で形成されてよい。
【００８３】
１つの態様において、各プラグ要素６４０は１つ以上のボルト６４４およびナット６４６（例えば、プラグ要素６４０の頂部に１つと底部に１つとで２つのボルト）によって空洞６３７中へ固定されてよい。ボルト６４４の頭部はエンドレスベルト３０を転げ落ちる目的物による干渉を減じるために各プラグ要素６４０に規定される奥部６４２を皿形に開けられる。空洞内でプラグ要素が固定されるように空洞６３７中のプラグ要素６４０を固定するために任意の数および種類の固定する装置が使われてよいということが認識されるであろう。例えば、接着剤、機械的留め具、又は他の任意の取り付け構造物が用いられてよい。
【００８４】
１つの態様において、プラグ要素６４０を空洞６３７中に貼り付ける方法は、プラグ要素６４０の特定の部分のみが空洞６３７を規定する内表面６２４に固定されるようになされる。例えば、図１０Ｂに示されるように、栓６４０は波形によって形作られる空洞６３７の後部域６４９で内表面６２４上の２つの場所に固定される。プラグ要素６４０を空洞６３７の後部域６４９のみ（例えば、側域ではなく）に固定することにより、プラグ要素６４０が空洞６３７の中心（例えば、Ｕ形状の空洞）に位置しながら、波形材がなおローラー７２、７４の周りを移動するときに自由に曲がることが可能である。プラグ要素６４０および側壁３６の部分は、実質的に平坦で平らな側壁６０４を、好適にはエンドレスベルト３０の全長に沿って形作る。
【００８５】
図１０Ｃは同様に、流路４２の一部を規定する内表面６２４の反対を向いている外表面６２０を含むエンドレスベルト３０の波形側壁３６の一部を示す。前記側壁３６は基底部４０から垂直に延びる。波形側壁３６は内部の側壁開口あるいは空洞６３７を作り出す多数の折り曲げ部を含む。
さらに、図１０Ｃに示されるように、側壁３６は、空洞６３７を実質的に満たすプラグ材料６８０を含むために形作られるか又はそうでなければ製作される。言い換えれば、プラグ要素６４０が空洞６３７に固定される図１０Ｂに示されるのとは違って、プラグ材料６８０は実質的に平坦な側壁６０４を形成するために側壁３６に不可欠であってよい。このプラグ材料６８０は側壁３６を形成する材料（例えば、ゴム）と同一の材料でも異なる材料であってよい。
【００８６】
１つの態様において、プラグ材料６８０は波形によって作り出される空洞６３７の後部域６４９でのみ側壁３６に結合される。このやり方で、プラグ材料６８０が空洞６３７の中心（例えば、Ｕ形状の空洞）に位置しながら、波形材がローラー７２、７４の周りを移動するときにまだ波形材は自由に曲がることが可能である。
なおさらに、実質的に平坦な側壁は、図１１Ａおよび図１１Ｂに示されるように、側壁３６および３８の開口部又は空洞に隣接して位置付けられる１つ以上のスカートたわみ要素７５０を用いて提供されてよい。少なくとも１つの態様において、そのようなスカートたわみ要素７５０はエンドレス基底部４０上で且つ第１および第２の側壁３６および３８から離れて支持される。
【００８７】
図１１Ａ〜図１１Ｂは、エンドレスベルト３０の側壁３６および３８に関連して位置付けられる１つ以上のスカートたわみ要素７５０を有する図１および図２に全体が示される微粉除去装置のエンドレスベルトを説明する一般化された平面図、およびエンドレスベルト３０の側壁３６に関連して位置付けられるスカートたわみ要素７５０の部分の透視図を各々示す。図１１Ａに示されるように、スカートたわみ要素７５０は第１端部７５６と第２端部７５８の間に延びる。少なくとも１つの態様において、スカートたわみ要素７５０の第１の端部７５６はエンドレスベルト３０の上端部５２で側壁３６および３８に隣接して位置付けられ、スカートたわみ要素７５０の第２の端部７５８はエンドレスベルト３０の下端部５４で側壁３６および３８に隣接して位置付けられる。
【００８８】
１つの態様において、スカートたわみ要素７５０は側壁３６および３８に隣接した位置で外部の支持装置７５２（例えば、エンドレスベルト３０を支持するために用いられる支持構造７９に結合して）によって支えられる。例えば、外部の支持装置７５２は、クランプ、ストラップ、山形鋼などの任意の適した構造要素および結合メカニズムを含んでよい。側壁から離されたスカートたわみ要素７５０を取り付けることによって、曲り得る側壁３６、３８は底端部５４および上端部５２でローラーの周りを移動するときに自由に曲がることが可能である。
【００８９】
図１１Ａおよび図１１Ｂに示されるように、固定されたスカートたわみ要素７５０は第１端部７５６から第２端部７５８までその長さに沿って底端部７６２から上端部７６４まで延びる。１つの態様において、たわみ要素７５０はエンドレスベルト３０の底端部５４から上端部５２までの上部の距離の実質的に長さ（例えば、９０％より多く）を延びる。スカートたわみ要素７５０は側壁３６および３８と同じ高さでよい。しかしながら、スカートたわみ要素７５０の高さは、上端部７６４が側壁３６の高さのほんの７０％である高さにあるようにあってよい。さらに、上端部７６４は、底部４０に隣接した流路４２の少なくとも一部に沿って実質的に平坦な側壁を構築するのに効果的であって、側壁３６の高さのほんの５０％である高さにあってよく、そして側壁３６の高さのほんの２０％ほども低くてよい。
【００９０】
さらに、１つの態様において、スカートたわみ要素７５０は、底端部７６２がエンドレスベルト３０の基底物４０をちょうど離れて保持され、ギャップ７６９の形成に到るように位置付けられる。このギャップ７６９はエンドレスベルト３０が動かないようにすることからスカートたわみ要素７５０を妨げるには充分に大きい。しかしながら、このギャップ７６９は、目的物がそこで捕捉されまた下端部への目的物の流れを妨害することを避けるように処理される目的物と比べて相対的に小さい。
【００９１】
前記の固定されたスカートたわみ要素７５０は実質的に平坦な側壁を有する流路４２を規定する側壁３６および３８のちょうど内側に位置されてよい。これが側壁３６、３８の折り曲げ部又は開口部を開放し、ペレットが折り曲げ部に捕捉されないようにする。前記スカートたわみ要素７５０は、ポリウレタンのようなプラスチック、薄い金属板などの適した、但し明らかに限定はされない材料で形成されてよい。さらに、スカートたわみ要素７５０は１つ以上の構成材（例えば、接合一体化されたいくつかのシート材料）から形成されてよい。
ここではたわみ要素のいくつかの構造について述べたが、側壁に規定される開口部からの目的物のたわみを提供する種々の方法が本発明に基いて用いられ得るということを当業者は理解するであろう。
【００９２】
前記の基底部４０の上部主要表面１４０は微粉末の捕捉そして除去の助けになるように平滑であるか又は織り込まれてよい。例えば、隆起、山の背、表面処理、ダイヤ柄で均一に織られてよい。一般的に、このような処理は、ここに述べられる障害要素とは同等ではないが、分離される目的物の厚さの約１／４より薄い厚さを有し且つ基底部４０の実質的に全表面１４０（すなわち、表面１４０の７０％以上を指しての実質的に全表面１４０）に亘って延びる処理である。
【００９３】
さらに、図２〜図５に示されるように、エンドレスベルト３０はエンドレス基底部４０の上部主要表面１４０に位置付けられる障害要素７０のパターンを含む。１つの例示的態様において、各障害要素７０は、供給混合物１８が流路４２に供給されそしてエンドレスベルト３０の部分が傾斜を上方へ移動されると微粉３２が傾斜を流れ落ちるのを表面部７１が妨害するように、エンドレス基底部４０の第１位置１５１と第２位置１５２の間に延びる表面部７１を含む。
【００９４】
さらに、少なくとも１つの例示的態様において、表面部７１はエンドレス基底部４０の所定の長さに対して非直角である。少なくとも他の例示的態様において、各障害要素７０の表面部７１はエンドレスベルトの幅（Ｗ）を横切って延びかつエンドレス基底部４０の長さに対して直角の面１５９に対してある角度１５８での表面位置を含む。１つの態様において、エンドレスベルト３０の幅（Ｗ）を横切って延びかつエンドレスベルト３０の長さに対して直角の面１５９に対する角度１５８は、処理される目的物３１に対する安息角よりも大きいが微粉３２と関係する安息角より小さい。
【００９５】
図２〜図５の図示態様に示されるように（しかし図３に最も良く見られる）、障害要素７０のパターンは、第１側壁３６に対してある角度で下って伸びそしてエンドレスベルト３０の幅を部分的に横切る第１組の細長い障害要素１６６、そして第２側壁に対してある角度で下って伸びそしてエンドレスベルト３０の幅を部分的に横切る第２組の細長い障害要素１６７を含む。第１および第２の組の細長い障害要素は連続のＳ字流れ構図がそこで規定されるように互い違いの配置で提供される。１つの態様において、細長い障害要素７０の各々第１および第２の組１６７、１６８に関連した角度１５８は、エンドレスベルト３０の幅（Ｗ）を横切って且つエンドレス基底部４０の長さに直角に延びる面に対する角度である。この角度１５８は処理される目的物に対する傾斜角より大きく微粉に関連した傾斜角より小さい。
【００９６】
連続的なＳ−フローパターン１９０が規定されるような交互に入れ替わる配置でのそのような障害要素７０を用いて、微粉除去装置１２は少々攻撃的な動きである振動およびＳ字形をした渦巻きをエンドレスベルト３０（例えば、コンベアベルト）を下へ移動している目的物の厚い床（例えば、鉄鉱石ペレット）に物理的に移し、そして、微粉３２が層状になり且つエンドレスベルト３０の基底部の表面１４０に落下させる原因となる。言い換えれば、微粉は目的物３１（例えば、鉄鉱石ペレット）の床での目的物３１間の空きスペース１９８を通って落下される。微粉３２はベルト表面１４０に固定されたある角度に曲げられた障害要素（例えば、滑り止め）によって受け取られ、そして次いで排出のために第１端部５２に移動される。振り落としと渦巻きの作用が、障害要素７０およびある角度に曲げられた障害要素７０を越える目的物３１の床の下方への動きによって引き起こされる力によって作られる。
【００９７】
目的物３１および微粉３２のそのような動きは、離脱力を与えるために振動の台又は一連のテーブルという形を取る物理的な振動の運動腕および他の手段を通じて物理的な振動作用を与える標準的な技術とは全く異なる。本発明は粒度の層化を引き起こすために物理的な振動の装置を使用せず、むしろ目的物３１の床のエンドレスベルト３０の上側の導管３４を下って且つ障害要素７０を越えて又は周りを移動する力を供給混合物１８の異なる粒度の成分又は粒子の層化を引き起こすための上方への振動の働きに移すのである。言い換えれば、微粉除去装置１２は物理的な分離を引き起こすために粒子径、嵩密度、および粒子の形に依存し、粒子の分離をもたらすために必要とされる離脱力を与えるために比重には依存しない。
【００９８】
障害要素７０は可変の幅および高さを有してよく、また同様に可変の位置にあるべく設計されてよい。少なくとも１つの態様において、障害要素７０は微粉除去装置１２が用いられる適用に依存する高さ（Ｈｏｂ）を持つ。例えば、１つの態様において、各障害要素７０の厚さ又は高さ（Ｈｏｂ）は、エンドレス基底部４０の上側の主要表面１４０から垂直に測定されて、処理されている供給混合物１８のうちの目的物３１の最大断面寸法の５０％以下である。ある場合には、そのような障害要素７０は処理されている供給混合物１８のういちの目的物３１の最大断面寸法の２５％以下である厚さ又は高さ（Ｈｏｂ）を有してよい。
前記障害要素は任意の適した材料で形成されてよい。１つ以上の態様において、障害要素７０はゴム、ウレタン、又は他の耐摩耗性材料で形成されてよい。
【００９９】
障害要素の構図は、少なくとも１つの態様において、概して基底部４０の全長に沿って位置付けられる。前記障害要素７０は任意の適した技術を用いて基底部４０の上側の主要表面１４０に固定されてよい。例えば、そのような障害要素は接着剤による付着、ボルトでの留め、加硫処理等によって前記表面１４０に固定されてよい。
障害要素７０の構図は任意の数の構造のうちの１つをとってよい。例えば、図２〜図５を参照してここで述べられるように、第１および第２の組の障害要素１６６、１６７はＳ字形の流れパターン１９０を与えるために用いられる。しかしながら、エンドレスベルトの適用および寸法（例えば、その幅（Ｗ））に依存して、種々の構図が用いられてよい。
例えば、図６は、本発明により図１〜図２に大まかに示される微粉除去装置１２に用いられてよいエンドレスベルト２００の例示の態様を示す一般化された平面図である。前記エンドレスベルト２００は、供給混合物１８を受け取るための流路２０８を形成するエンドレス基底部２０２および側壁２０４、２０６を含む。
【０１００】
障害要素２１２の構図２１０は基底部２０２上に与えられる。そこで示されるように、多元同類障害要素２１２がエンドレスベルト２００の幅（Ｗ）と交差して並んで提供される。各多元障害要素２１２は、供給混合物１８が流路２０８に供給されそしてエンドレスベルト２００の部分が傾斜を上に移動されるとき、微粉が傾斜を流れ落ちるのを障害要素が妨げるようにエンドレス基底部２０２の第１位置２２０と第２位置２２１の間に延びる表面２１３を含む。さらに、前記表面２１３はエンドレス基底部２０２の長さに対して非直角である。なおさらに、前記表面２１３は、エンドレスベルト２００の幅（Ｗ）を横切ってかつエンドレス基底部２０２の長さに直角に延びる平面に対して角度２３０で位置付けられる。なおさらに、この例示的対応において、前記角度２３０は、処理される目的物の安息角より大きいが供給混合物１８のうちの微粉と関連した安息角よりは小さい。図６に示されるように、多元Ｓ字流れ構図２４０はエンドレスベルト２００の幅（Ｗ）を横切って作られる。
【０１０１】
供給混合物１８のうちの目的物３１から微粉３２の分離を提供するために、障害要素の構図についての多くの異なった構成が安息角理論に関してここに述べられる技術に従う本発明により用いられてよいことを当業者は認識するであろう。そのようなものとして、莫大な適用可能な構成と簡明さの必要から、ここには２〜３の構成のみが提供される。しかしながら、種々の安息角理論を用いる種々の障害要素が本発明により意図される。
【０１０２】
図１をさらに参照すると、本発明による分離を実行するために、駆動装置９０の制御に加えて、制御システム２６が微粉除去装置１２の１つ以上の種々の機能の制御（例えば、エンドレスベルト３０によって規定される流路４２中への供給混合物１８の供給のための供給源２８の制御）のために用いられる。例えば、制御システム２６は傾斜６０の角度を調整するために微粉除去装置１２の調整要素９２を制御するために用いられてよい。例えば、支持構造７９は、微粉除去装置１２の使用前、使用の間又は使用後に傾斜の角度６０を変えるために制御システム２６によって制御されてよい調整可能な要素９２（例えば、油圧要素、電気要素、又は他の機械様式の要素）を含んでよい。
【０１０３】
微粉除去装置１２は、さらに１つ以上の適した技術を用いて微粉除去工程を監視するための監視装置２９を含んでよい。例えば、監視装置２９は、供給混合物１８から除かれている微粉３２の表示に用いられる光学パターン認識カメラおよび／又はコンピューターシステムを含んでよい。傾斜角６０に変化をもたらす調整要素９２の制御に用いられる又はエンドレスベルト３０のスピードを制御するための駆動装置９０の制御のために、微粉の特性を表すフィードバックデータは制御システム２６に与えられてよい。言い換えれば、監視装置２９は、他のシステム要素と一緒に、連続的な定値微粉分離を自動的に達成するために用いられてよい。
【０１０４】
さらに、監視装置２９は制御室に置かれるべき遠隔表示を提供するために微粉を表示する手動のカメラを含んでよい。次いで、この遠隔表示は、微粉除去装置１２に物理的に取り付けられた遠隔カメラを経由してリアルタイムの微粉分離を物理的に示すことになる。
監視装置２９は微粉除去装置１２の種々のパラメーターを監視するために用いられるということが理解されるであろう。例えば、この監視装置２９は、排出される微粉を表示又は監視するために微粉除去装置１２の上端位置５２で用いられるか、又は任意の微粉が目的物収集装置１４中に排出されるかどうかを決定するために下端部５４で用いられてよい。
【０１０５】
上述のように、前記の調整要素９２は傾斜角６０を自動的に制御するために用いられてよい。例えば、そのような調整要素９２は微粉除去装置１２の１つ以上の種々のパラメーターに基づいた制御システム２６の制御下にあってよい。この調整要素９２は傾斜角６０に調整をもたらすために、例えば水力学、空気力学、又は電子工学を含んでよい。言い換えれば、エンドレスベルト３０は傾斜角６０を変えるために旋回軸点８７の周りを自動的に回転させられてよい。
【０１０６】
なおさらに、図１に示されるように、微粉除去装置１２は微粉除去装置１２の１つ以上の位置において１つ以上の機械的補助装置１９５を含んでよい。例えば、機械的補助装置１２は処理されている供給混合物のうちの目的物からの微粉の分離を増やすのを助けるためにベルト下のラッパーおよび／又は振動器を含んでよい。さらに、例えば、機械的補助装置１９５は排出が起こるときに微粉除去装置１２の上端３２で又は下側の導管３５で（例えば、エンドレスベルトの元に戻る工程で）、エンドレスベルト３０の表面にくっつくいくつかの過剰な微粉をふき取るために任意的なベルトワイパーおよび／又はブラシを含んでよい。なおさらに、機械的補助装置１９５は１つ以上の位置において（例えば、微粉除去装置１２の排出端５２において）、下側の導管３５又はエンドレスベルト３０の元に戻る工程などで微粉を洗い落とすためにベルト散水装置を含んでよい。さらに、この機械的補助装置１９５は、より小さい粒子がさらにベルト表面に下りるためにベルトに衝突作用を起こすのに用いる偏心ローラーを含んでよい。
【０１０７】
筐体１３０によってお一般的に示されるように、微粉除去装置１２に一致して種々の筐体が用いられてよい。例えば、前記の筐体１３０は、砂埃の排出を減らすためにベルト系統上の１つ以上の適した場所に位置されるベルトカバーおよび集塵機覆いを含んでよく、また安全性機能のために概してエンドレスベルト３０の１つ以上の部分のまわりに筐体を含んでよい。さらに、例えば、供給分配装置５２０（図９Ａ〜図９Ｂに示されるような）は筐体１３０の一部として備えられてよく、またそうでなければそれとともに接続され又は結び付けられてよい。
【０１０８】
図１〜図２に、そしてさらに詳細に図７Ａ〜図７Ｂに示されるように、微粉除去装置１２は、基底部４０を実質的に平面の配置に維持するためにさらに複数の支持ローラー１２０、又は他の適した支持構造を含んでよい。ここで用いられるように、実質的に平面の配置とは支持構造を用いて基底部４０、また言い換えればその上側の主要表面を概して平らな配置に維持することをいう。１つの態様において、前記支持構造は前記表面１４０が単一面からそれることのないように支持ローラー１２０を含む。そのような平面基底部４０とともに、供給混合物１８から目的物３１を分離するための安息角概念の効果的な使用が達成される。図７Ａ（そこでは簡単にするために前記障害要素７０は除かれる）に示されるように、エンドレスベルト３０の傾斜した上側の導管３４が図７Ｂに示されるように矢印１７の方向に動くときに、主要基底部４０を実質的に平面の配置に維持するために充分な数の支持ローラー１２０が用いられてよい。矢印１６３は使用中のローラーの回転方向を示す。
【０１０９】
図８は１つ以上の他の分離装置４５０と組み合わせた微粉除去装置４０２を含む回収系４００の線図を示す。言い換えれば、第１および第２の分離装置は分離工程を精密化するために用いられてよい（例えば、微粉除去装置４０２を用いて除かれた微粉は第２の分離装置４５０を用いて更に処理される。）。第２の分離装置４５０は図１〜図７を参照して述べられるような微粉除去装置であってもよく、またなくてもよい（例えば、篩い分け装置、振動台装置などであってよい。）。
【０１１０】
図８に示されるように、回収系４００は微粉除去装置４０２を含む。この微粉除去装置４０２は、ローラー４２０、４２２の周りをベルト方向４１２に動いているエンドレスベルト４１０によって分離される供給混合物を入り口４０６を通って供給するためのペレット供給源４０４を含む。分離されている供給混合物は、例えば、粉塵とペレットチップを含む４分の１インチの微粉と一緒に、例えば丸みのある鉄を含んだペレットを含む。丸みのあるペレットが転がり落ちそして精ペレット流４９０の状態で回収系４００から除かれるべき精ペレット４８０として排出される一方、微粉はエンドレスベルト４１０の傾斜を上へ運ばれる。微粉は傾斜を上へ運ばれそして排出される。或る場合には、微粉は、装置４０２によって適切に分離されなかったペレット微粉、ペレットチップ、そしていくつかの全ペレットを含んでよい。そのような微粉は概して塊４３０によって示され、そして投入４５１として第２分離装置４５０に供給される。
【０１１１】
この特別な態様において、分離装置４５０はローラー４５６および４５８の周りをベルト方向４５４に移動する第１の微粉除去装置４０２のエンドレスベルトのようなエンドレスベルト４５２を同様に含む。微粉混合物４３０のうちの精ペレットは傾斜を転がり落ちそして回収系４００から除かれるため精ペレット４６０として精ペレット流４９０に提供される。前記第２分離装置４５０に提供される混合物４３０のうちの微粉は傾斜を上に移動し、そして塊４６４によって大まかに示されるように排出される。また第２分離装置４５０から排出されるペレット塵およびペレットチップ上に塊４７０によって示されるように、１つ以上の追加的な第３の微粉除去工程又は他の篩い分けタイプのシステムが任意的に用いられてよい。
【０１１２】
ここに引用されるすべての特許、特許文献、および参考文献は、それらを本明細書に別々に組み入れた場合、その全体をここに組み入れたものとする。本発明は説明に役立つ態様を参照しながら述べられてきたが限定する意味で解釈されることを意味しない。前に述べたように、ここに述べられる概念そして特性による有利な特徴の利益を受けるために、他の種々の事例的適用でここに述べられる技術を用いてよい。この記載を参照すれば、この発明の付加的態様と同様に事例的態様の種々の修正が当業者に明らかであろう。
【図面の簡単な説明】
【０１１３】
【図１】図１は、本発明による微粉除去装置を含む微粉除去システムの一般化された側面説明図である。
【図２】図２は、図１に全体が示されかつ図３に示されるように２−２線に沿ったエンドレスベルトの一般化された断面図である。
【図３】図３は、本発明による図１および図２に全体が示される微粉除去装置のうちのエンドレスベルトを説明する一般化された平面図である。
【図４】図４は、図２に示される断面図の一部のさらなる詳細な図を示す。
【図５】図５は、図３に示される平面図の一部のさらなる詳細な図を示す。
【図６】図６は、本発明による図１に全体が示される微粉除去装置に用いられてよいエンドレスベルトの他の態様を説明する一般化された平面図である。
【図７Ａ】図７Ａは、本発明による図１に全体が示される微粉除去装置に用いられてよいローラー支持エンドレスベルトの一部の平面図を示す。
【図７Ｂ】図７Ｂは、本発明による図１に全体が示される微粉除去装置に用いられてよいローラー支持エンドレスベルトの一部の側面図を示す。
【図８】図８は、１つ以上の他の分離装置と一緒に図１〜図７に示されるような装置を用いる微粉分離用の回収システムの線図を示す。
【図９Ａ】図９Ａは、本発明による図１に全体が示される微粉除去の装置に用いられてよい供給分配システムの一般的な態様の側面図を示す。
【図９Ｂ】図９Ｂは、本発明による図１に全体が示される微粉除去の装置に用いられてよい供給分配システムの一般的な態様の平面図を示す。
【図１０Ａ】図１０Ａは、実質的に平らな側壁を形成するための本発明によりそれに関連して位置付けられるたわみ要素を含むエンドレスベルトの柔軟な側壁の一部の斜視図を示す。
【図１０Ｂ】図１０Ｂは、図１０Ａに全体が示されるような柔軟な側壁に関連して位置付けられるたわみ要素の態様を説明する交代の１つの平面図を示す。
【図１０Ｃ】図１０Ｃは、図１０Ａに全体が示されるような柔軟な側壁に関連して位置付けられるたわみ要素の態様を説明する交代の１つの平面図を示す。
【図１１Ａ】図１１Ａは、エンドレスベルトの側壁に関連して位置付けられるスカートたわみ要素を有して、図１および２に全体が示される微粉除去の装置のエンドレスベルトを説明する一般化平面図を示す。
【図１１Ｂ】図１１Ｂは、エンドレスベルトの側壁に関連して位置付けられるスカートたわみ要素の一部の斜視図を示す。
【図１】
2008509806.tif 000003
【図２】
2008509806.tif 000004
【図３】
2008509806.tif 000005
【図４】
2008509806.tif 000006
【図５】
2008509806.tif 000007
【図６】
2008509806.tif 000008
【図７Ａ】
2008509806.tif 000009
【図７Ｂ】
2008509806.tif 000010
【図８】
2008509806.tif 000011
【図９Ａ】
2008509806.tif 000012
【図９Ｂ】
2008509806.tif 000013
【図１０Ａ】
2008509806.tif 000014
【図１０Ｂ】
2008509806.tif 000015
【図１０Ｃ】
2008509806.tif 000016
【図１１Ａ】
2008509806.tif 000017
【図１１Ｂ】
2008509806.tif 000018
【国際調査報告】
2008509806.tif 000019